(57)【特許請求の範囲】
【請求項１】
空気調和機本体の上部をキャビネットとこのキャビネットの前部にほぼ隙間なく接続された天面パネルとで構成した天吊型空気調和装置において、前記天面パネルは後部に段部を有する発泡ポリスチレン製の断熱体の天面側のほぼ全領域をカラー鋼板で包んで構成し、前記キャビネットは前記断熱体の段部に重合する端部を有する断熱材を当該端部をほぼコ字状に覆うように板金製鋼板で包んで構成し、前記カラー鋼板の後部は前記断熱体の段部でほぼＵ字状に曲がり、その先端部は前記段部に重合する断熱材に食い込み、この食い込み状態で、前記カラー鋼板と前記板金製鋼板との天面側の面が連続的につながることを特徴とする天吊型空気調和装置。
【発明の詳細な説明】
【０００１】
【発明の属する技術分野】
本発明は、天面パネルを有する天吊型空気調和装置に関する。
【０００２】
【従来の技術】
一般に、空気調和機本体の上部を板金製のキャビネットで構成した天吊型空気調和装置は知られている。この種のものではキャビネットを、カラー鋼板で断熱材を包んで構成したり、或いは普通鋼板で断熱材を包んで構成してこの鋼板に塗装を施したりするのが一般的である。しかし、前記構成は高価である。
【０００３】
そこで、天吊型空気調和装置では天面が天井板に覆われ、外部からは見えなくなることに着目して、空気調和機本体の上部を安価な普通鋼板製のキャビネットと、このキャビネットの前部にほぼ隙間なく接続されたカラー鋼板製の天面パネルとで構成するものが提案されている。
【０００４】
【発明が解決しようとする課題】
しかしながら、従来の構成では、キャビネットと天面パネルとの接続部に断熱材を設けるのが困難になるという問題がある。特に、キャビネットと天面パネルとの接続部は、空気調和機本体の吹出口の上部に位置するので、ここに断熱材が設けられていないと、この吹出口を通じて冷風が吹き出される場合（冷房運転時）に、前記接続部に結露が生じるという問題がある。
【０００５】
そこで、本発明の目的は、キャビネットと天面パネルとの接続部に結露を生じさせることのない天吊型空気調和装置を提供することにある。
【０００６】
【課題を解決するための手段】
請求項１記載の発明は、空気調和機本体の上部をキャビネットとこのキャビネットの前部にほぼ隙間なく接続された天面パネルとで構成した天吊型空気調和装置において、前記天面パネルは後部に段部を有する発泡ポリスチレン製の断熱体の天面側のほぼ全領域をカラー鋼板で包んで構成し、前記キャビネットは前記断熱体の段部に重合する端部を有する断熱材を当該端部をほぼコ字状に覆うように板金製鋼板で包んで構成し、前記カラー鋼板の後部は前記断熱体の段部でほぼＵ字状に曲がり、その先端部は前記段部に重合する断熱材に食い込み、この食い込み状態で、前記カラー鋼板と前記板金製鋼板との天面側の面が連続的につながることを特徴とするものである。
【０００７】
この発明では、天面パネルのみカラー鋼板で構成し、残りのキャビネットは普通の安価な板金製鋼板で構成するので、製造コストの低減が図られる。また、天面パネルの下面は空気調和機本体の吹出口に露出し、外部から見える場所に位置するが、この発明では、天面パネルの下面には発泡ポリスチレン製の断熱体が配置されるので、見栄えがよい。この断熱体の後部には段部が設けられ、この段部に重合するように前記キャビネットが接続される。このキャビネットは前記断熱体の段部に重合する端部を有する断熱材を当該端部をほぼコ字状に覆うように板金製鋼板で包んで構成されるので、当該接続部には断熱材が配置され、この接続部に結露が生じることはない。また、カラー鋼板のほぼＵ字状に曲がる先端部が、段部に重合する断熱材に食い込むので、断熱材とカラー鋼板とが強固に接続される。
【００１０】
【発明の実施の形態】
以下、本発明の一実施形態を図面に基づいて説明する。
【００１１】
図１において、符号１は空気調和機本体を示す。この空気調和機本体１は天井から吊り下げられた吊りボルト３に引っかけられて室内天井板５の下面に設置・固定されている。空気調和機本体１には電装箱１１、送風機１３、熱交換器１５、冷媒配管２９等の各種機器類が殆ど隙間なく収納されている。送風機１３は、図２に示すように四台の送風機ユニット２１〜２４からなりこれらは一台のモータ２５で駆動される回転軸２７に固定・配置されている。
【００１２】
熱交換器１５は、図１に示すようにフィン・チューブ型の熱交換器であり、空気調和機本体１内に斜めに設置される。この熱交換器１５には冷媒配管２９が接続され、この冷媒配管２９は空気調和機本体１の外に導出され、室外機（図示せず）の圧縮機、減圧装置、室外熱交換器等に接続される。
【００１３】
この熱交換器１５の下方には、図１に示すように、発泡ポリスチレン製のドレンパン３１が設置され、このドレンパン３１の下面には板金製パネル３３が設置される。ドレンパン３１のドレン溜まり３１ａには、図２に示すようにフレキシブルチューブ３２を介してドレンポンプユニット３５が接続され、このドレンポンプユニット３５に収容されるドレンポンプは、ドレン溜まり３１ａに収集されたドレンを吸い上げて空気調和機本体１の外に排出する。
【００１４】
送風機１３の下方には、樹脂製の吸込グリル３７が開閉可能に設置され、この吸込グリル３７には空気清浄用フィルタ３９が取り付けられる。そして、送風機１３が駆動されると吸込グリル３７およびフィルタ３９を通じて室内の空気が空気調和機本体１内に吸い込まれ、この空気は熱交換器１５で熱交換された後に、吹出口４１を通じて室内に吹き出される。４３は空気調和機本体１の略中央を横断的に仕切る中仕切板である。
【００１５】
この実施の形態では、図３に示すように、空気調和機本体１の上部がキャビネット５１とこのキャビネット５１の前部にほぼ隙間なく接続された天面パネル５３とで構成される。尚、空気調和機本体１の吹出口４１には、風向変更用の横羽根６１および縦羽根６３が設けられる。
【００１６】
前記天面パネル５３は、図４に示すように、後部に段部５５ａを有する発泡ポリスチレン製の断熱体５５の天面側５５ｂのほぼ全領域をカラー鋼板５７で包んで構成される。また、キャビネット５１は断熱体５５の段部５５ａに重合する端部５９ａを有する断熱材５９を当該端部５９ａをほぼコ字状に覆うように安価な板金製鋼板６１で包んで構成される。
【００１７】
前記カラー鋼板５７の後部５８は断熱体５５の段部でほぼＵ字状に曲がり、その先端部５８ａは段部５５ａに重合する断熱材５９に食い込んでいる。そして、キャビネット５１の前部５１ａと天面パネル５３の後部５３ａとは断熱体５５を下方から貫通するねじ６３を用いて接続される。
【００１８】
この実施形態では、天面パネル５３のみがカラー鋼板５７で構成され、残りのキャビネット５１が普通の安価な板金製鋼板６１で構成されるので、全てをカラー鋼板で製造する場合に比べて、製造コストの低減が図られる。
【００１９】
また、天面パネル５３の下面は、図３に示すように、空気調和機本体１の吹出口４３に露出し、外部から見える場所に位置するが、この実施形態では、天面パネル５３の下面には発泡ポリスチレン製の断熱体５５が配置されるので見栄えは向上する。この断熱体５５の後部には段部５５ａが設けられ、この段部５５ａに重合するようにキャビネット５１が接続される。
【００２０】
このキャビネット５１は断熱体５５の段部５５ａに重合する端部を有する断熱材５９を当該端部５９ａをほぼコ字状に覆うように板金製鋼板６１で包んで構成されるので、当該接続部には断熱材５９が配置され、ねじ６３は露出するものゝこの接続部に結露が生じることはない。
【００２１】
この実施形態では、カラー鋼板５７のほぼＵ字状に曲がる先端部５８ａが、段部５５ａに重合する断熱材５９にしっかりと食い込むので、断熱材５９とカラー鋼板５７とは強固に接続される。従って、組立に際し、キャビネット５１と天面パネル５３との間に隙間があくことはない。
【００２２】
以上、一実施形態に基づいて本発明を説明したが、本発明はこれに限定されるものではない。例えば断熱体５５の形状等は図示の形態に限定されず、本発明の趣旨を逸脱しない範囲で、適宜の形態に変更が可能である。
【００２３】
【発明の効果】
請求項１に記載の発明では、天面パネルのみカラー鋼板で構成し、残りのキャビネットは普通の安価な板金製鋼板で構成するので、製造コストの低減が図られる。また、天面パネルの下面は空気調和機本体の吹出口に露出し、外部から見える場所に位置するが、この発明では、天面パネルの下面には発泡ポリスチレン製の断熱体が配置されるので、見栄えがよい。この断熱体の後部には段部が設けられ、この段部に重合するように前記キャビネットが接続される。このキャビネットは前記断熱体の段部に重合する端部を有する断熱材を当該端部をほぼコ字状に覆うように板金製鋼板で包んで構成されるので、当該接続部には断熱材が配置され、この接続部に結露が生じることはない。また、カラー鋼板のほぼＵ字状に曲がる先端部が段部に重合する断熱材に食い込むので、断熱材とカラー鋼板とが強固に接続される。従って、組立に際し、キャビネットと天面パネル間に隙間があくことはない。
【図面の簡単な説明】
【図１】本発明による天吊型空気調和装置の一実施形態を示す側面断面図である。
【図２】同じく内部構造を示す平面図である。
【図３】空気調和機本体の吹出口の構造を示す図である。
【図４】キャビネットと天面パネルとの接続構造を示す図である。
【符号の説明】
１  空気調和機本体
１３  送風機
１５  熱交換器
５１  キャビネット
５３  天面パネル
５５  断熱体
５５ａ  段部
５９  断熱材
５９ａ  端部
６１  板金製鋼板
【図１】
0003670819.tif 000002
【図２】
0003670819.tif 000003
【図３】
0003670819.tif 000004
【図４】
0003670819.tif 000005